(57)【特許請求の範囲】
【請求項１】
撮影した画像を画像データに変換し，該画像データを記憶手段に記憶し，前記記憶手段に記憶した画像を表示手段に表示するカメラにおいて，
前記表示手段に付属して，該表示手段に表示された画像上に第２の画像を書き加える画像入力手段と，
前記画像上に書き加えられた第２の画像を，前記記憶手段に記憶される前記画像と関連づけて記憶する画像処理手段と，
前記第２の画像について，前記表示手段上に前記画像入力手段によって書き込まれた第３の画像と一致または類似するものを検索し，該検索結果である第２の画像と関連づけられている画像を，前記表示手段に表示する検索手段と，
を有することを特徴とするカメラ。
【請求項２】
前記検索手段は，前記第２の画像と，前記第２の画像に関連付けられた画像とを合成して前記表示手段に表示するものであることを特徴とする請求項１に記載のカメラ。
【請求項３】
撮影した画像を画像データに変換し，該画像データを記憶手段に記憶し，前記記憶手段に記憶した画像を表示手段に表示するカメラにおいて，
前記表示手段に付属して，該表示手段に表示された画像上に第２の画像を書き加える画像入力手段と，
前記画像上に書き加えられた第２の画像を，前記記憶手段に記憶される前記画像と関連づけて記憶し，かつ，前記第２の画像に含まれている文字を認識し，該認識した文字を，前記表示手段に表示されている画像の属性データとして記憶する画像処理手段と，
文字データを入力する入力手段と，
前記画像の属性データについて，前記入力手段により入力される文字データまたは前記画像入力手段により入力され前記画像処理手段により認識された文字データと一致するものを検索し，該検索結果である属性データと関連づけられている画像を，前記表示手段に表示する検索手段と，
を有することを特徴とするカメラ。
【発明の詳細な説明】
【０００１】
【発明の属する技術分野】
本発明は画像を撮影してメモリカード等の記憶媒体に記録するカメラに係り，特に，撮影し記憶媒体に記録した画像の中から所望の画像を容易に見つけ出すことができ，撮影した画像の閲覧，整理等に便利なカメラに関する。
【０００２】
【従来の技術】
一般に，デジタルスチルビデオカメラにおいては，撮影した画像をデジタル画像データに変換して圧縮した後に，付属のメモリカード等に記憶させる場合が多い。また近年では，当該メモリカードの大容量化及び圧縮技術の進歩等により，１枚のメモリカードに記録できる画像の枚数が増え，例えば，約５００枚ほどの画像を記憶できるメモリカードも出てきており，メモリカードの容量は今後更に増加することは容易に予想できる。
【０００３】
【発明が解決しようとする課題】
しかしながら，このようなメモリカードに撮影画像を記憶して利用する上記従来のデジタルスチルビデオカメラにおいては，メモリカードに記録された画像の中から所望の画像を取り出したい場合には，使用者は，メモリカードに記録されている画像を１枚ずつ確認しながら見つけ出さなければならないという問題があった。
【０００４】
メモリカードに記録されている画像が少なければ問題ないが，記録画像が多くなるにつれて，画像を確認する作業は使用者の大変な負担となる。また上述のように，今後メモリカードに記録可能な画像枚数が更に増える傾向にあるため，使用者が所望の画像を見つけ出す作業はより困難になっていくことが容易に予想される。
【０００５】
本発明は，上記従来の問題点に鑑みてなされたものであって，メモリカード等の記憶媒体に記録した画像の中から，所望の画像の画像を容易に見つけ出すことができ，閲覧，整理等に便利なカメラを提供することを目的としている。
【０００６】
【課題を解決するための手段】
上記課題を解決するために，本発明の請求項１記載のカメラは，撮影した画像を画像データに変換し，該画像データを記憶手段に記憶し，前記記憶手段に記憶した画像を表示手段に表示するカメラにおいて，前記表示手段に付属して，該表示手段に表示された画像上に第２の画像を書き加える画像入力手段と，前記画像上に書き加えられた第２の画像を，前記記憶手段に記憶される前記画像と関連づけて記憶する画像処理手段と，前記第２の画像について，前記表示手段上に前記画像入力手段によって書き込まれた第３の画像と一致または類似するものを検索し，該検索結果である第２の画像と関連づけられている画像を，前記表示手段に表示する検索手段と，を備えるものである。
【０００７】
また，請求項２記載のカメラは，請求項１に記載のカメラにおいて，前記検索手段は，前記第２の画像と，前記第２の画像に関連付けられた画像とを合成して前記表示手段に表示するものである。
【０００８】
また，請求項３記載のカメラは，撮影した画像を画像データに変換し，該画像データを記憶手段に記憶し，前記記憶手段に記憶した画像を表示手段に表示するカメラにおいて，前記表示手段に付属して，該表示手段に表示された画像上に第２の画像を書き加える画像入力手段と，前記画像上に書き加えられた第２の画像を，前記記憶手段に記憶される前記画像と関連づけて記憶し，かつ，前記第２の画像に含まれている文字を認識し，該認識した文字を，前記表示手段に表示されている画像の属性データとして記憶する画像処理手段と，文字データを入力する入力手段と，前記画像の属性データについて，前記入力手段により入力される文字データまたは前記画像入力手段により入力され前記画像処理手段により認識された文字データと一致するものを検索し，該検索結果である属性データと関連づけられている画像を，前記表示手段に表示する検索手段と，を備えるものである。
【００１０】
【発明の実施の形態】
以下，本発明のデジタルスチルビデオカメラの概要について，並びに，本発明のデジタルスチルビデオカメラの実施例について，順に図面を参照して詳細に説明する。
【００１１】
〔本発明のデジタルスチルビデオカメラの概要〕
本発明の請求項１記載のデジタルスチルビデオカメラでは，図１に示す如く，撮影した画像をデジタル画像データに変換し，該デジタル画像データを圧縮して記憶手段１０６に記憶し，記憶手段１０６に記憶した画像を表示手段１０４に表示するに際し，表示手段１０４に付属する画像入力手段によって，表示された画像上に第２の画像を書き加え，画像処理手段１０３により，もとの表示画像と該画像上に書き加えられた第２の画像とを合成して記憶手段１０６に記憶するようにしている。
【００１２】
これにより，撮影した画像に文字や図形等を書き加えることができるため，例えば，撮影した画像に対するコメントや撮影場所の地図等を書き加えたい場合に便利である。また，画像及び第２の画像は合成してから圧縮して記憶されるため，必要なメモリ量を増やすことなく記録できる。
【００１３】
また，請求項２記載のデジタルスチルビデオカメラでは，図１に示す如く，画像処理手段１０３は，前記第２の画像を，記憶手段１０６の前記画像を記憶する領域とは別の領域（第２の記憶手段）に前記画像と関連づけて記憶するようにしている。これにより，画像と第２の画像とを独立して圧縮し記憶できるため，後から画像または第２の画像のみを容易に修正することが可能となる。
【００１４】
また，請求項３記載のデジタルスチルビデオカメラでは，図１に示す如く，検索手段１０１により，記憶手段１０６に記憶されている第２の画像について，表示手段１０４上に前記画像入力手段によって書き込まれた第３の画像と一致または類似するものを検索し，関連する画像を，順次，表示手段１０４に表示するようにしている。これにより，画像に付加した第２の画像と入力した第３の画像とを比較して一致または類似した場合には，該第２の画像が付加されている画像を取り出して表示できるので，記憶媒体に記憶されている画像が多いときでも，簡単に検索して取り出すことが可能となる。
【００１５】
更に，請求項４記載のデジタルスチルビデオカメラでは，図１に示す如く，画像処理手段１０３によって，前記第２の画像に含まれている文字を認識し，該認識した文字を，表示手段１０４に表示されている画像の属性データとして前記第２の記憶手段に記憶することとし，検索手段１０１により，前記第２の記憶手段に記憶されている画像の属性データについて，入力手段１０５により入力される文字データまたは前記画像入力手段により入力され認識された文字データと一致するものを検索し，関連する記憶手段１０６の画像を，順次，表示手段１０４に表示するようにしている。これにより，画像に付加した属性データと入力した文字データとを比較して一致した場合には，該属性データが付加されている画像を取り出して表示できるので，記憶媒体に記憶されている画像が多いときでも，簡単且つ確実に検索して取り出すことが可能となる。
【００１６】
〔実施例〕
図１は本発明の一実施例に係るデジタルスチルビデオカメラの構成図である。
【００１７】
同図において，本実施例のデジタルスチルビデオカメラは，制御部１０１，画像入力部１０２，データ処理部１０３，手書き入力用ペン付きの表示部１０４，文字入力機能を備えた操作部１０５及びデータ記憶部１０６を具備して構成されている。尚，図中，１３１は，各構成要素間を接続するデジタル画像データ及び制御信号線を含むバスラインである。
【００１８】
制御部１０１は，同図に示すように，当該デジタルスチルビデオカメラ全体の動作プログラム，及び該プログラムが使用する各種データが格納されているＲＯＭ１１２と，ＲＯＭ１１２内の動作プログラムに従って当該デジタルスチルビデオカメラの他の構成要素へ命令を送るＣＰＵ１１１と，ＣＰＵ１１１が一時的にデータの書き込みや読み出しに使用するＲＡＭ１１３とを備えて構成され，当該デジタルスチルビデオカメラの他の構成要素の動作を制御する。
【００１９】
画像入力部１０２は，撮像レンズや絞り等を備えたレンズユニット１２１と，レンズユニット１２１を通過した映像信号（アナログ画像データ）を電気信号に変換するＣＣＤ（電荷結合素子）１２２と，ＣＣＤ１２２から入力したアナログ画像データをデジタル画像データに変換するＡ／Ｄ変換器１２３とを備えて構成され，被写体の映像データを入力する。
【００２０】
データ処理部１０３は，画像入力部１０２から入力されたデジタル画像データを輝度信号Ｙ並びに色差信号（Ｒ−Ｙ）及び（Ｂ−Ｙ）に変換して圧縮したり，圧縮されたデータを伸長したりする。また，画像を合成したり，手書き文字を認識したりする機能をも備えている。
【００２１】
表示部１０４は，画像入力部１０２からの入力デジタル画像データや，データ処理部１０３で伸長された画像データ，並びに，当該デジタルスチルビデオカメラの状態等を画面上に表示する。また，手書き入力用ペンを備えており，表示画面上に，文字や図形といった２値の線画を，該手書き入力用ペンによって直接書き込みできる構成となっている。
【００２２】
また操作部１０５は，機能選択，撮影指示，及びその他の各種設定を外部から行うためのボタンを備え，また，文字入力用のキー等も備えている。
【００２３】
更にデータ記憶部１０６は，データ処理部１０３で圧縮処理された画像データを格納したり，また再生する際に画像データを読み出すためのメモリである。ここで，データ記憶部１０６は，カードメモリ等の記憶媒体であり，より具体的には，バスライン１３１とは所定のインタフェース回路を介して接続されるものである。尚，本発明の記憶手段及び第２の記憶手段に相当するデータ記憶部１０６は，カードメモリに限定されるものではなく，当該デジタルスチルカメラに内蔵或いは外付け構成のＩＣメモリ，ディスク装置等においても適用し得るものである。
【００２４】
次に，本実施例のデジタルスチルビデオカメラの記録時の動作について，図２に示すフローチャートを参照して説明する。
【００２５】
先ず，操作部１０６のシャッターボタンが押されると，制御部１０１はそれを認識して撮影動作を開始する。画像入力部１０２のレンズユニット１２１を通過した被写体像は，ＣＣＤ１２２で電気信号に変換された（ステップＳ２０１）後に，Ａ／Ｄ変換機１２３によってデジタル画像データに変換される（ステップＳ２０２）。
【００２６】
デジタルに変換された画像データは，データ処理部１０３により輝度信号Ｙ並びに色差信号（Ｒ−Ｙ）及び（Ｂ−Ｙ）に変換された（ステップＳ２０３）後，所定の圧縮方式で圧縮される。そして，圧縮された画像データはデータ記憶部１０６に送られ記録されると同時に，表示部１０４に表示される（ステップＳ２０４）。
【００２７】
ここで，表示部１０４に付属の手書き入力用ペンを用いて，表示画面上に，文字や図形といった２値の線画を直接書き込むことができる（ステップＳ２０５）。書き込まれた線画は，データ処理部１０３によって元の画像と合成された（ステップＳ２０６）後に，圧縮されて（ステップＳ２０７），データ記憶部１０６に記憶される（ステップＳ２０８）。
【００２８】
手書き入力用ペンによる線画の書き込みは，例えば，ある映像を撮影したときに，それが何かを一言コメントとして書き加えたい場合，或いは撮影場所を示す地図等を書き加えたい場合などに便利である。
【００２９】
次に，画像再生時の動作は以下の通りである。即ち，操作部１０５から再生指示がなされると，制御部１０１はそれを認識して再生動作を開始する。画像データをデータ記憶部１０６から読み出し，読み出されたデータをデータ処理部１０３で伸長した後に表示部１０４へ送られて，例えばコメント付きの画像が再生表示される。
【００３０】
〔変形例〕
以上説明した実施例では，手書き入力用ペンを用いて，表示部１０４の表示画面上に直接書き込んだ文字や図形等の線画は，元の画像と合成し圧縮してデータ記憶部１０６に記憶することとしたが，データ記憶部１０６内の画像を記憶する領域とは別の領域に，画像と関連づけて記憶するように構成してもよい。
【００３１】
つまり，図３に示すように，データ記憶部１０６のメモリマップを，画像用メモリ３０２とは別に線画用メモリ３０１を設けた構成とし，線画用メモリ３０１の領域には，撮影画像に対して付加されるコメント等の付加画像情報が，画像用メモリ３０２内の撮影画像と（例えばポインタ等で）関連づけられて記憶される。
【００３２】
このような構成とすることにより，手書き入力用ペンを用いて表示部１０４の表示画面上に線画を描いたとき，制御部１０１の制御の下でデータ処理部１０３により，該表示画面上の線画と一致または類似する線画を線画用メモリ３０１から検索し，該検索結果である線画と関連づけられている画像を該線画と合成して表示部１０４に表示することができる。尚，線画を画像に合成せずに，画像のみの表示とすることも可能である。これにより，データ記憶部１０６に記憶されている画像が多いときでも，簡単に検索して取り出すことが可能となる。
【００３３】
また，手書き入力用ペンによって描かれた表示部１０４の表示画面上の線画について，データ処理部１０３により該線画に含まれている文字を認識し，該認識文字を，表示部１０４に表示されている画像の属性データとして，線画用メモリ３０１の領域に，線画データの一部或いは全部として記憶するようにしてもよい。
【００３４】
このような構成とすることにより，手書き入力用ペンを用いて表示部１０４の表示画面上に線画を描いたとき，データ処理部１０３により該線画に含まれている文字を認識し，制御部１０１により該認識文字と一致する属性データを線画用メモリ３０１から検索し，該検索結果である属性データと関連づけられている画像を表示部１０４に表示することができる。これにより，データ記憶部１０６に記憶されている画像が多いときでも，簡単且つ確実に検索して取り出すことが可能となる。
【００３５】
図４は，この属性データを用いた検索による画像再生処理の流れを説明するフローチャートである。先ず，手書き入力用ペンを用いて表示部１０４の表示画面上に文字を入力する（ステップＳ４０１）と，データ処理部１０３がその文字を認識する（ステップＳ４０２）。尚，実施例のように，操作部１０５に文字入力機能を備えている場合には，操作部１０５から属性データとしての文字を入力するようにしてもよい。
【００３６】
次に，線画用メモリ３０１の中に記憶されている属性データを制御部１０１が検索して（ステップＳ４０３），認識文字と一致するものがあれば（ステップＳ４０４），検索結果であるその属性データと関連づけられている画像を画像用メモリ３０２から読み出し，表示部１０４に表示する（ステップＳ４０５）。尚，認識文字と一致する属性データが複数存在する場合には，順次，それぞれ対応する画像を表示部１０４に表示していく（ステップＳ４０６）。
【００３７】
【発明の効果】
以上説明したように，本発明の第１の特徴のカメラによれば，撮影した画像を画像データに変換し，該デジタル画像データを記憶手段に記憶し，記憶手段に記憶した画像を表示手段に表示するに際し，表示手段に付属する画像入力手段によって，表示された画像上に第２の画像を書き加え，画像処理手段により，もとの表示画像と該画像上に書き加えられた第２の画像とを合成して記憶手段に記憶し，第２の画像について，検索手段により，表示手段上に書き込まれた第３の画像と一致又は類似するものを検索し，検索結果の第２の画像と関連付けられている画像を表示手段に表示するので，撮影した画像に文字や図形等を書き加えることができ，画像に付加した第２の画像と入力した第３の画像とを比較して一致または類似した場合には，該第２の画像に関連する画像を取り出して表示できるので，記憶媒体に記録した画像の中から，所望の画像の画像を容易に見つけ出すことができ，撮影した画像の閲覧，整理等に便利なカメラを提供することができる。
【００３８】
また，請求項２記載のカメラによれば，検索手段により第２の画像と，関連付けられた画像とを合成して表示するので，表示された合成画像において検索に用いた文字などの画像と得られた画像とを一目瞭然に比較することによって，検索結果を確認することができるので，撮影した画像の閲覧，整理等に便利なカメラを提供することができる。
【００３９】
また，請求項３記載のカメラによれば，画像処理手段によって，第２の画像に含まれている文字を認識し，該認識した文字を，表示手段に表示されている画像の属性データとして記憶することとし，検索手段により，記憶されている画像の属性データについて，入力手段により入力される文字データまたは前記画像入力手段により入力されて画像処理手段により認識された文字データと一致するものを検索し，検索の結果該当する画像を表示手段に表示することとしたので，画像に付加した属性データと入力した文字データとを比較して一致した場合には，該属性データが付加されている画像を取り出して表示できるので，記憶媒体に記録した画像の中から，所望の画像の画像を容易に見つけ出すことができ，閲覧，整理等に便利なカメラを提供することができる。
【図面の簡単な説明】
【図１】本発明の一実施例に係るデジタルスチルビデオカメラの構成図である。
【図２】実施例のデジタルスチルビデオカメラにおける記録時の動作を説明するフローチャートである。
【図３】変形例のデジタルスチルビデオカメラにおけるデータ記憶部のメモリマップの説明図である。
【図４】変形例のデジタルスチルビデオカメラにおける検索による画像再生処理の流れを説明するフローチャートである。
【符号の説明】
１０１  制御部（検索手段）
１０２  画像入力部
１０３  データ処理部（画像処理手段）
１０４  表示部（表示手段及び付属する画像入力手段）
１０５  操作部（入力手段）
１０６  データ記憶部（記憶手段）
１１１  ＣＰＵ
１１２  ＲＯＭ
１１３  ＲＡＭ
１２１  レンズユニット
１２２  ＣＣＤ（電荷結合素子）
１２３  Ａ／Ｄ変換器
１３１  バスライン
３０１  線画用メモリ
３０２  画像用メモリ
【図１】
0003728338.tif 000002
【図２】
0003728338.tif 000003
【図３】
0003728338.tif 000004
【図４】
0003728338.tif 000005